(57)【要約】【課題】安全かつ容易に２人の乳児に同時に授乳を行うことができ、かつ多機能な授乳枕を提供する。【解決手段】任意素材にて所定幅の枕本体を形成し、枕本体の上面に傾斜面を設け、枕本体の中央下部に凹部を形成するともに、枕本体側面にコの字型器具保持ポケットを設け、着脱可能な伸縮保持ベルトを設けるとともに、分離用ファスナーで一部を接続させて２分割して開閉可能にし、哺乳瓶ホルダーを設けたことを特徴とする。【選択図】  図１６
2005013691.tif 000002
【特許請求の範囲】
【請求項１】
任意素材にて所定幅の枕本体を形成し、枕本体の上面に傾斜面を設け、枕本体の中央下部に凹部を形成するとともに、枕本体側面に伸縮保持ベルトを着脱可能に設けたことを特徴とする多機能授乳枕。
【請求項２】
枕本体が、分離用スライドファスナーにより、枕本体をその一部を接続させて、二分割して開閉可能となるよう構成したことを特徴とする請求項１記載の多機能授乳枕。
【請求項３】
枕本体側面にコの字型器具ポケットを設けたことを特徴とする請求項１または２記載の多機能授乳枕。
【請求項４】
枕本体底面凸部に哺乳瓶ホルダーを設けたことを特徴とする請求項１から３のいずれかの項に記載の多機能授乳枕。
【発明の詳細な説明】
【０００１】
【発明の属する技術分野】
この発明は、乳幼児１人ないし２人に同時に母乳を授乳させることができ、また形状が変化し、乳児用お昼寝マットや乳児がお座りの練習ができるマット及び寝返り防止用マットにもなり、かつ、乳児が単独で粉ミルクを哺乳できるようになり、また、乳児が玩具で遊ぶことのできる多機能授乳枕に関する。
【０００２】
【従来の技術】
従来より、授乳時に使われるいわゆる授乳枕が利用されているが、袋体にクッション等を封入した単なる枕であって、本発明にて示すように、２人の乳児に適用できるものや、乳児がぶら下がる玩具で遊ぶことのできるいわゆるプレイジムを兼ねたものや、特定の器具なしに乳児が単独でミルクを哺乳できるものは現在のところ見当たらず、また、従来より、乳幼児のおすわり練習用に使われるマットは、１ｃｍほどの厚みしかないため安全性に欠けると思われる。
【０００３】
【発明が解決しようとする課題】
現在は不妊治療が進歩してきており、投薬の影響を受けて双子を持つ親が以前より増加しつつある。出産後の授乳は３〜４時間おきに行うが、双子の場合２人に交互に授乳するとなれば頻繁な授乳が必要であり、とりわけ母乳による場合はその労力も大きくなる。そのため、２人同時に授乳できれば好都合であるが、このための用具はなく、１人用授乳枕では用をなさないものであった。
また、核家族化が進んできているため、母親は１人で家事をしながら育児をすることとなり、多忙の時などは、乳児１人で粉ミルクを哺乳してくれると好都合であるが、哺乳瓶を支えることが出来ないので、タオルなどで支えるしかなかった。
また、乳児は、前後左右どこに倒れるかわからないにも関わらず、従来から使われているいわゆるおすわり練習用マットは、せいぜい１ｃｍほどの厚みしかないため、単独では使わず、周りにクッションなどをおいていた。
また、育児用品ともなると、乳児の成長とともに、その段階に見合ったものを購入していかなければならず、現在の住宅事情を考慮するとその使用に際し、かなり手狭になる。
本発明は、以上のような従来からの双子の授乳に関わる課題や、育児に関わる現在の家族事情、住宅事情などに起因する問題を解決するために発明されたもので、１人ないし２人に授乳が出来、かつ、さまざまな機能を１つに兼ね備えた新規な用具を提供することを目的として開発されたものである。
【０００４】
【課題を解決するための手段】
課題を解決する手段として本発明は、所定幅の枕本体に傾斜面、凹部、伸縮保持ベルト、分離用スライドファスナー、コの字型器具保持ポケット、哺乳瓶ホルダーを各々設け、枕本体が形体を変えるように主要部を構成し、その主要部に装着できる、任意素材にて形成されたコの字型器具、円形クッションを有するものである。
すなわち、任意素材にて所定幅の枕本体を形成し、枕本体の上面に傾斜面を設け、枕本体の中央下部に凹部を形成するとともに、枕本体側面に伸縮保持ベルトを着脱可能に設け、枕本体側面と、空隙内側面に設けられた分離用スライドファスナーを開くことにより形体を変え、枕本体底面凸部に哺乳瓶ホルダーを設け、枕本体側面に設けられたコの字型器具保持ポケットにコの字型器具を装着でき、さらにそこに玩具を装着可能とする。本発明は以上の構成よりなる授乳枕である。
【０００５】
【発明の実施の形態】
本発明を使用するには、授乳枕として機能させる場合、まず枕本体の空隙部内に腰部を位置させ、凹部に膝が当たるように枕本体を位置させ、伸縮保持ベルトを背中に当てて係止部にて伸縮保持ベルトの一端を枕本体に係止させる。
そして２人の乳児を脚を外側に頭を内側に向かい合うように枕本体上面に乗せて授乳を行う。枕本体と授乳者身体は伸縮保持ベルトにて密接しており、枕本体下部の凹部は膝上に当接しているので、授乳者身体に対して枕本体は安定保持される。
また、枕本体上面は外側から内側に向けて下降する傾斜面を有しており、乳児の身体は自然に内向きすなわち授乳者の方へ向くこととなり、授乳しやすくかつ乳児が枕から落下する可能性を極小とすることができる。
また、お昼寝マットとして機能させる場合、まず枕本体前面と空隙内側面に所定幅に設けられた分離用スライドファスナーを開くことにより、枕本体を略半ドーナツ状からドーナツ状へ形体を変化させ、伸縮保持ベルトは枕本体側面に設けられたスナップボタンに係止させる。そして、空隙部内に円形クッションを配置させて、乳児を寝かせる。ここで、枕本体底部は凸状となるので、乳児の寝返り防止になる。
また、枕本体底面凸部に設けられた哺乳瓶ホルダーに哺乳瓶を装着すると乳児が単独でミルクが哺乳出来るようになる。
また、コの字型器具保持ポケットに任意素材のコの字型器具を装着し、そこに玩具を装着すると、いわゆるプレイジムになる。
また、伸縮保持ベルトを面ファスナーに係止させ、乳児を伸縮保持ベルトに寄りかかるように座らせると、お座り練習用マットになる。
枕本体はやわらかな任意の素材で厚くできているため、乳児が前後左右どこでも安全に倒れることができる。
【０００６】
【実施例】
以下、本発明の実施例について説明する。
図において、１はスポンジ製クッション素材をやわらかな覆布でくるんだ略半ドーナツ形状の枕本体で、その内側は空隙部２となっている。また、枕本体上面の外側から内側に向けて下降する傾斜面が形成される。
３は布製の伸縮保持ベルトで内部はゴムで構成されており、枕本体空隙部に近接してその一端が縫着され、他端は面ファスナー４にて枕本体に係止される。つまり、面ファスナーの雄片又は雌片がベルト端部に縫着され、面ファスナーの雄片又は雌片が枕本体の当接個所に縫着されて、双方の雄片と雌片との当接にて係止される構成である。また伸縮保持ベルトを仮想線でしめしたように、本体凸部外側に沿わせ、伸縮保持ベルト係止用スナップボタンに係止できるよう構成されている。
５は凹部で、枕本体の中央近傍外側下部に所定幅に形成される。６は枕本体外側側面に設けられる分離用スライドファスナーである。７は枕本体内側側面に設けられる分離用スライドファスナーである。８は枕本体外側側面に設けられるコの字型器具保持ポケットである。９は枕本体内部に設けられたクッション取り出し用スライドファスナーである。１０は枕本体側面に設けられた伸縮保持ベルト係止用スナップボタンである。１１は枕本体底面凸部に設けられた哺乳瓶ホルダーである。哺乳瓶ホルダーは枕本体の凸状底部に所定長所定幅の凹部を設けて、この凹部の中ほど上縁に面ファスナー付のゴムベルトの端部を縫着し、該凹部底面適所にビニール製シート１５を縫着して形成される。そして、この凹部は枕本体底面の凹部５に向かって傾斜している。１２は任意素材にて形成されたコの字型器具である。コの字型器具は、鋼材にゴムチューブを覆ったものをコの字型に形成したものである。１３はコの字型器具に設けられた玩具取付用フックである。１４は、円形クッションである。
以上が本発明の１実施例である。
本発明の概要については既述したが、本例ではスポンジ製クッション素材にて枕本体を形成しており、さらにこのクッション体をやわらかな布でくるんだ構成としたため、授乳者および被授乳者ともにソフトな感触が得られるものとなっている。
また、伸縮保持ベルトの着脱を面ファスナーにて行うので、しっかりと保持できるとともに、伸縮ゴムを使用しているので使用者の体サイズに対応でき、その着脱も容易である。そして、伸縮保持ベルト係止用スナップボタンに係止すると、枕本体との間隙は小物を収納できるポケットになる。また、枕本体を分離用スライドファスナーで形状を変化させると、裏側に所定幅のクッション取り出し用スライドファスナーを設けたので、必要に応じて中のクッション体を取り出して覆布を洗浄することができる。
また、哺乳瓶ホルダーには哺乳瓶を固定用するために面ファスナー付のゴムベルトを縫着しているので、さまざまな種類の哺乳瓶を安全に固定することができる。
また、哺乳瓶ホルダーは哺乳瓶のサイズに対応した凹部を形成し、その凹部は枕本体底面の凹部５に向かって傾斜しているため、哺乳瓶の出し入れにより哺乳の高さが調節できる。またその凹部には、ビニールシートを縫着しているので、その摩擦にて哺乳瓶をより安全に固定でき、かつ、汚れも拭き取りやすい。
また、コの字型器具に設けられた玩具取付用フックに玩具を装着することが出来るが、玩具以外でもフックに装着できるものであれば何にでも対応できる。
また、円形クッションは、形体変化後の空隙部にピッタリ収まる大きさで、枕本体と同じスポンジ製クッション素材をやわらかな布でくるんだ構成となっている。
【０００７】
本発明は半ドーナツ形状の枕本体を人体にしっかりとフィットし、また形体が変化し、多機能なところにその特徴がある。
空隙部に授乳者の腰部が位置し、背中に保持ベルトが当接して枕と人体とが、フィットし、また凹部は膝上に当接するために授乳時の安定を得ることができる。
従来のように１人に授乳するときは両手で乳児を抱えることができるため、乳児に上下位置安定のための単なる枕でも用が足りるが、２人の乳児に同時授乳を行う場合、１人を片手で抱えなければならず、従来の枕では小さすぎ、かつ安定も図りにくいものである。そのために本発明では半ドーナツ形状の枕とし、授乳者へのフィット及び保持性を高めるための構造としたのである。
また、片手によって１人の乳児を抱えなければならないため、その乳児の姿勢保持に支障がないよう、枕本体上面を傾斜面としてその姿勢保持を容易かつ安全に行えるよう配慮したのである。
また、従来は授乳枕のみのものはあったが、授乳枕が形体を変化させ、お昼寝マット、お座り練習用マット、寝返り防止マット、プレイジム、単独哺乳装置を一体化したものはなかった。
なお、本発明では略半ドーナツ形状の枕本体としているが、近似の他の形状による枕本体としてもよい。また、伸縮保持ベルトは布製としたが、他の素材を用いてもよく、係止手段は本例で用いた面ファスナー以外にボタン、ホック等を用いてもよい。また、哺乳瓶ホルダーの哺乳瓶固定手段として、面ファスナー付のゴムベルトとビニールシートとしたが、他の素材としても良い。また、コの字型器具は、本例で用いたコの字型以外にも弓状のものなどでもよい。
以上のごとく、本発明によって二人の乳児に同時に容易に授乳ができ、かつ多機能な授乳枕を得ることができる。
【０００８】
【発明の効果】
本発明によれば、授乳者の腰回りに沿って枕本体が位置し、伸縮保持ベルトと凹部により枕と身体がフィットすることとなり、さらに枕本体上面に傾斜面を設けているため、２人の乳児に安定した姿勢にて同時に安全に授乳させることができ、さらに略半ドーナツ状からドーナツ状に形状を変えることにより、本発明品１つで、乳児に必要な育児用品をいくつもまかなえる有用なる授乳枕を提供することができる。
【図面の簡単な説明】
【図１】本発明の平面図
【図２】本発明の正面図
【図３】本発明の右側面図
【図４】Ａ−Ａ断面図
【図５】本発明の形体変化後の平面図
【図６】本発明の形体変化後の正面図
【図７】本発明の形体変化後の右側面図
【図８】本発明の形体変化後の底面図
【図９】本発明の哺乳瓶ホルダー使用詳細図
【図１０】本発明の円形クッション平面図
【図１１】本発明の円形クッション側面図
【図１２】本発明のコの字型器具正面図
【図１３】本発明のコの字型器具側面図
【図１４】本発明の使用状態説明図（授乳時）
【図１５】本発明の使用状態説明図（２人同時授乳時）
【図１６】本発明の使用状態説明図（乳児お昼寝、単独哺乳時）
【図１７】本発明の使用状態説明図（乳児お座り練習時）
【図１８】本発明の使用状態説明図（乳児プレイジム使用時）
【符号の説明】
１    枕本体
２    空隙部
３    伸縮保持ベルト
４    面ファスナー
５    凹部
６    分離用スライドファスナー
７    分離用スライドファスナー
８    コの字型器具保持ポケット
９    クッション取り出し用スライドファスナー
１０  伸縮保持ベルト係止用スナップボタン
１１  哺乳瓶ホルダー
１２  コの字型器具
１３  玩具取付用フック
１４  円形クッション
１５  ビニール製シート
１６  面ファスナー
１７  伸縮ゴムベルト
【図１】
2005013691.tif 000003
【図２】
2005013691.tif 000004
【図３】
2005013691.tif 000005
【図４】
2005013691.tif 000006
【図５】
2005013691.tif 000007
【図６】
2005013691.tif 000008
【図７】
2005013691.tif 000009
【図８】
2005013691.tif 000010
【図９】
2005013691.tif 000011
【図１０】
2005013691.tif 000012
【図１１】
2005013691.tif 000013
【図１２】
2005013691.tif 000014
【図１３】
2005013691.tif 000015
【図１４】
2005013691.tif 000016
【図１５】
2005013691.tif 000017
【図１６】
2005013691.tif 000018
【図１７】
2005013691.tif 000019
【図１８】
2005013691.tif 000020